(57)【特許請求の範囲】
【請求項１】
円筒状または円錐状の回転係合面で相対回転自在に係合する回転操作部材と非回転取付体；
上記非回転取付体の凹面からなる回転係合面に臨ませて、周方向に間隔を置いて形成した複数のクリック溝；
上記回転操作部材に回転方向には一緒に回転し、軸方向には相対移動可能に支持したボタンスイッチ；及び
このボタンスイッチに、上記回転係合面の内側に位置させて形成した、上記クリック溝に係脱可能な弾性係合脚；
を有することを特徴とする回転操作部材のクリック機構。
【請求項２】
請求項１記載の回転操作部材のクリック機構において、上記クリック溝は、上記回転操作部材の軸線と平行な方向に形成されており、上記ボタンスイッチの弾性係合脚は、これらのクリック溝に同時に係合する複数が備えられていて、上記ボタンスイッチの径方向に弾性変形可能である回転操作部材のクリック機構。
【請求項３】
請求項２記載の回転操作部材のクリック機構において、各クリック溝は、中心側の幅を広げる両側傾斜面を備えている回転操作部材のクリック機構。
【請求項４】
請求項１ないし３のいずれか１項記載の回転操作部材のクリック機構において、上記回転操作部材は、その表面にボタンスイッチ用凹部を有し、該ボタンスイッチ用凹部の底部に、該底部を貫通する貫通孔が形成されており、上記弾性係合脚は、この貫通孔を通ってクリック溝に係合している回転操作部材のクリック機構。
【請求項５】
請求項４記載の回転操作部材のクリック機構において、
上記回転操作部材のボタンスイッチ用凹部の底部には、さらに取付孔が穿設されており、上記ボタンスイッチに、上記取付孔を通って回転操作部材の裏面に係合する抜け止め脚が形成されている回転操作部材のクリック機構。
【請求項６】
請求項１ないし５のいずれか１項記載の回転操作部材のクリック機構において、上記非回転取付体はカメラボディに一体に固定されており、上記回転操作部材が、カメラの撮影モードを切り換えるためのモードダイヤルであり、上記ボタンスイッチの弾性係合脚は、上記モードダイヤルをいずれかの撮影モードと対応する所定位置に回転させたときに、いずれかのクリック溝に弾性係合して上記モードダイヤルをその位置に位置決めする回転操作部材のクリック機構。
【請求項７】
請求項１ないし６のいずれか１項記載の回転操作部材のクリック機構において、上記ボタンスイッチがカメラの電源ＯＮ／ＯＦＦスイッチである回転操作部材のクリック機構。
【発明の詳細な説明】
【０００１】
【技術分野】
本発明は、ボタンスイッチを有する回転操作部材を、回転方向の所定位置に位置決めするための回転操作部材のクリック機構に関する。
【０００２】
【従来技術及びその問題点】
例えば、カメラの分野では、撮影モードを切り換えるための回転操作されるモードダイヤルの中心部にボタンスイッチ（押しボタンスイッチ）を設けることが行われている。モードダイヤルには、各撮影モードに対応する所定位置に位置決めするためのクリック機構が設けられている。
【０００３】
このようなクリック機構の一例としては、カメラボディのモードダイヤルとの対向部に円周方向に並ぶ複数のクリック溝を形成し、モードダイヤルには圧縮ばねと該圧縮バネによりカメラボディ側に付勢されるクリックボールを設けて、常時はモードダイヤルの回転を許容し、モードダイヤルがいずれかの撮影モードと対応する位置で回転を停止したときにクリックボールがいずれかのクリック溝に弾性係合して、モードダイヤルをその位置に位置決めするものがある。
【０００４】
他のクリック機構としては、カメラボディ側に複数の係合部を形成するとともに、モードダイヤルに各係合部と弾性係合可能な板バネを設けて、常時はモードダイヤルの回転を許容するとともに、モードダイヤルがいずれかの撮影モードと対応する位置で回転を停止したときに板バネがいずれかの係合部と弾性係合して、モードダイヤルをその位置に位置決めするものがある。
【０００５】
しかし、上記の両クリック機構ではクリック機構の構成要素として圧縮バネ、クリックボール、板バネ等が必要となるので、部品点数が増加し、組立てに手間が掛かるとともに製造コストが上昇してしまう。
【０００６】
【発明の目的】
本発明は、ボタンスイッチを有する回転操作部材を、部品点数を増やすことのない簡素な構造により、回転方向の所定位置に位置決めできる回転操作部材のクリック機構を得ることを目的とする。
【０００７】
【発明の概要】
本発明は、回転操作部材側に設けられるボタンスイッチを利用して回転操作部材のクリック機構を構成したものであって、円筒状または円錐状の回転係合面で相対回転自在に係合する回転操作部材と非回転取付体；非回転取付体の凹面からなる回転係合面に臨ませて、周方向に間隔を置いて形成した複数のクリック溝；回転操作部材に回転方向には一緒に回転し、軸方向には相対移動可能に支持したボタンスイッチ；及びこのボタンスイッチに、回転係合面の内側に位置させて形成した、クリック溝に係脱可能な弾性係合脚；を有することを特徴としている。
【０００８】
クリック溝は、例えば回転操作部材の軸線と平行な方向に形成するのがよい。各クリック溝は、中心側の幅を広げる両側傾斜面を備えている断面台形状とするのが好ましい。ボタンスイッチの弾性係合脚は、該ボタンスイッチの径方向に弾性変形可能で、これらのクリック溝に同時に係合する複数を設けるとバランス上好ましい。
【０００９】
回転操作部材には、その表面にボタンスイッチ用凹部を形成し、このボタンスイッチ用凹部の底部に、該底部を貫通する貫通孔を形成し、弾性係合脚は、この貫通孔を通してクリック溝に係合させることができる。回転操作部材のボタンスイッチ用凹部の底部には、さらに取付孔を穿設し、ボタンスイッチには、この取付孔を通って回転操作部材の裏面に係合する抜け止め脚を形成することが好ましい。
【００１０】
本発明のクリック機構をカメラに採用する場合、非回転取付体は、カメラボディ側に固定し、回転操作部材は、カメラの撮影モードを切り換えるためのモードダイヤルとするのが代表的な一例である。ボタンスイッチの弾性係合脚は、モードダイヤルをいずれかの撮影モードと対応する所定位置に回転させたときに、いずれかのクリック溝に弾性係合してモードダイヤルをその位置に位置決めする。ボタンスイッチは、例えばカメラの電源ＯＮ／ＯＦＦスイッチとすることができる。
【００１１】
【発明の実施の形態】
以下、本発明をカメラボディに設けられたモードダイヤルのクリック機構に適用した一実施形態について、添付図面を参照しながら説明する。
カメラボディ（取付体）１００の上面には円形の開口部１０１（図４乃至図６参照）が形成されている。カメラボディ１００の内部にはこの開口部１０１の直下に位置させて基板１が設けられており、基板１の上面には電源スイッチ３とブラシ５が設けられている。
【００１２】
常時はＯＦＦ状態にある電源スイッチ３は、図示を省略した制御回路に接続されている。ブラシ５は後述するコード板と接触するものであり、ブラシ５も上記の制御回路に接続されている。
【００１３】
基板１の上面にはダイヤル台座（非回転取付体）７が２本のネジ９により固定されている。ダイヤル台座７は、その下方に大径の円筒部１１、上方に小径の円筒部１５を有し、この大円筒部１１と小円筒部１５の間が環状フランジ１３によって接続されている。小径の円筒部１５の内周面には該円筒部１５の軸線と平行な方向を向く６本のクリック溝１７が等角度間隔で形成されている。各クリック溝１７は、両傾斜面１７ａが内側に開いた断面台形をなしていて、ダイヤル台座７の中心に向けて溝幅を広げている。
【００１４】
モードダイヤル１９（回転操作部材）は、円形の操作部２１と、この操作部２１の下面中央部に突設した円柱状の軸部（回転軸）２３を有している。この軸部２３は、ダイヤル台座７の小径の円筒部１５の内側に回転自在に嵌合している。軸部２３の外面と円筒部１５の内面は、回転係合面を構成する。
【００１５】
モードダイヤル１９の操作部２１の上面には、以下の６つの撮影モードを示すマークＡ、Ｂ、Ｃ、Ｄ、Ｅ、Ｆが６０°間隔で周方向に印刷されている。
Ａ：ストロボをＯＦＦにするストロボオフモード
Ｂ：被写体輝度に応じてストロボがオートで発光するストロボオートモード
Ｃ：オートでストロボを発光させる場合にプリ発光させる赤目軽減モード
Ｄ：ストロボの発光を禁止する発光禁止モード
Ｅ：ストロボを強制発光させる強制発光モード
Ｆ：ストロボを発光させることなく、長時間露光する長時間露光モード
【００１６】
軸部２３の下面にはネジ２５により円盤状のダイヤル押さえ基板２７が固定されており、ダイヤル押さえ基板２７の外周部が環状フランジ１３の下面に当接することにより、モードダイヤル１９がダイヤル台座７から抜け出さないようになっている。
【００１７】
ダイヤル押さえ基板２７はモードダイヤル１９と一体となって回転するものであり、中心部には円形孔２７ａが穿設され、下面には図示を省略したコード板がプリント配線されており、コード板にはブラシ５が常時接触している。
【００１８】
操作部２１の上面中央部には、円形のボタンスイッチ用凹部２９が凹設されており、このボタンスイッチ用凹部２９の底部の中心部には軸部２３を上下方向に貫通する小径の挿入孔３１が形成されている。
また、ボタンスイッチ用凹部２９の底部の周縁部には、９０°間隔で２個の貫通孔３３と２個の取付孔３５が穿設されており、貫通孔３３と取付孔３５の下端部は、軸部２３の一部を切り欠いた状態で小径の円筒部１５の内部において開口している。
【００１９】
ボタンスイッチ用凹部２９には、ボタンスイッチ３７の円盤状の押圧部３９が嵌合されており、挿入孔３１には、押圧部３９の下面に垂設されたスイッチロッド４１が摺動自在に嵌合しており、スイッチロッド４１の下端部は軸部２３の下方に突出してスイッチ３に対向している。
【００２０】
押圧部３９の周縁部には、２本の抜け止め脚４３と２本の弾性係合脚４５が、９０°間隔で、かつ２本の抜け止め脚４３と２本の弾性係合脚４５がそれぞれ直径方向の２カ所に位置するように、下向きに形成されている。抜け止め脚４３の下端部に形成された爪部４３ａは、図４に示すように、取付孔３５の内部において操作部２１の下面に係合しており、押圧部３９の下面とボタンスイッチ用凹部２９の底部との間に配設された圧縮バネ４７が、押圧部３９を常時上向きに付勢することにより、爪部４３ａが常時操作部２１の下面に係合し、ボタンスイッチ３７を抜け止めている。
【００２１】
弾性係合脚４５は小径の円筒部１５の径方向に弾性変形可能な部材である。この弾性係合脚４５は、図５に示すように、貫通孔３３を貫通しており、その下端部に形成された外向き略水平の係合突部４５ａが、いずれかのクリック溝１７に弾性係合することができる。
【００２２】
ボタンスイッチ３７の押圧部３９の上面には、モードダイヤル１９に取り付けられたボタンスイッチ３７が外部に露出しないようにするためのボタンスイッチキャップ４９が取り付けられている。
【００２３】
次に、このような本実施形態の作用について説明する。
【００２４】
ボタンスイッチ３７の押圧部３９を下向きに押すと、スイッチロッド４１の下端部が電源スイッチ３に接触して電源スイッチ３がＯＮ状態となり、制御回路からの信号により電源がＯＮになる。
【００２５】
モードダイヤル１９を回転操作して、弾性係合脚４５の係合突部４５ａがクリック溝１７に弾性係合する位置に合わせると、モードダイヤル１９はその位置に位置決めされ（図２及び図５参照）、いずれかのマークＡ乃至Ｆ（図２ではＥ）がカメラボディ１００に印刷された指標１０２（図２と図３の仮想線参照）と一致する。
【００２６】
このときのコード板とブラシ５の接触状態から、制御回路が、どのマークＡ乃至Ｆが指標と一致しているかを判断し、カメラの撮影モードを、指標と一致しているマークＡ乃至Ｆが示している撮影モードに切り換える。
【００２７】
位置決めされているモードダイヤル１９に回転方向の力を与えると、弾性係合脚４５が、クリック溝１７の傾斜面１７ａに接触しながら内向きに弾性変形して、その係合突部４５ａがクリック溝１７から抜け出すので（図６参照）、再びモードダイヤル１９を回転させることができる。
【００２８】
モードダイヤル１９の回転中に、係合突部４５ａがクリック溝１７と一致する位置でモードダイヤル１９の回転を止めない場合は、一旦クリック溝１７に係合した係合突部４５ａがクリック溝１７から瞬時に抜け出すので、モードダイヤル１９を連続的に回転させることができる。
【００２９】
このように本実施形態では、電源スイッチ３のＯＮ／ＯＦＦを切り換えるための部材であるボタンスイッチ３７の一部に弾性係合脚４５を設け、この弾性係合脚４５をクリック溝１７に選択的に係合することによりモードダイヤル１９の位置決めを行っているので、部品点数を増加させることなく、簡素な構造の押圧スイッチ付きの回転クリック機構が得られる。
【００３０】
また、クリック溝１７の両側部に傾斜面１７ａを形成したので、モードダイヤル１９に回転方向の力を付与すれば、クリック溝１７に係合している弾性係合脚４５の係合突部４５ａをクリック溝１７から円滑に脱出させることができる。このため、モードダイヤル１９の回転操作性とクリック位置へのクリック感とをバランスよく備えることができる。
【００３１】
さらに、ボタンスイッチ３７の抜け止め脚４３をモードダイヤル１９に穿設した取付孔３５を通してモードダイヤル１９の裏面に係合させるだけで、ボタンスイッチ３７をモードダイヤル１９に、該ダイヤル１９と一体的に回転するように、簡単に取り付けることができる。
【００３２】
本実施形態ではボタンスイッチ３７を電源スイッチ３のＯＮ／ＯＦＦスイッチとしたが、他の押しボタンスイッチとして利用してもよい。
【００３３】
【発明の効果】
本発明によれば、例えばカメラのモードダイヤルのような回転操作部材を、部品点数を増やすことのない簡素な構造により、回転方向の所定位置に位置決めできる。
【図面の簡単な説明】
【図１】本発明の回転操作部材のクリック機構の一実施形態を示す、要部の分解斜視図である。
【図２】同じく、モードダイヤルが位置決めされた状態を示す平面図である。
【図３】同じく、モードダイヤルの回転中の状態を示す平面図である。
【図４】同じく、図２のＩＶ−ＩＶ線から見た縦断側面図である。
【図５】同じく、図２のＶ−Ｖ線から見た縦断側面図である。
【図６】同じく、図３のＶＩ−ＶＩ線から見た縦断側面図である。
【符号の説明】
１      基板
３      電源スイッチ
５      ブラシ
７      ダイヤル台座（非回転取付体）
９      ネジ
１１    大径の円筒部
１３    環状フランジ
１５    小径の円筒部（回転係合面）
１７    クリック溝
１７ａ  傾斜面
１９    モードダイヤル（回転操作部材）
２１    操作部
２３    軸部（回転係合面）
２５    ネジ
２７    ダイヤル押さえ基板
２７ａ  円形孔
２９    ボタンスイッチ用凹部
３１    挿入孔
３３    貫通孔
３５    取付孔
３７    ボタンスイッチ
３９    押圧部
４１    スイッチロッド
４３    抜け止め脚
４３ａ  爪部
４５    弾性係合脚
４５ａ  係合突部
４７    圧縮バネ
４９    ボタンスイッチキャップ
１００  カメラボディ（取付体）
１０１  開口部
１０２  指標
【図１】
0004530586.tif 000002
【図２】
0004530586.tif 000003
【図３】
0004530586.tif 000004
【図４】
0004530586.tif 000005
【図５】
0004530586.tif 000006
【図６】
0004530586.tif 000007